(57)【要約】【課題】本発明は、隣り合う本体をねじ止めすることで連結可能であるキャビネットにおいて、容易に連結作業が行えるキャビネットの連結部の構造を提供することを目的とする。【解決手段】本発明にかかるキャビネットの連結部の構造は、キャビネット１の左右両側面に、連結状態に本体２を置いたときに互いに対向する位置に同径の連結穴６を形成し、どちらか一方の連結穴６から本体２内側に離間した位置にタップ穴８を設けた固定片７を取り付けたことを特徴とする。【選択図】図１
2010212578.tif 000002
【特許請求の範囲】
【請求項１】
各種機器を収納し、隣り合う本体をねじ止めすることで連結可能であるキャビネットの連結部の構造であって、該キャビネットの左右両側面に、連結状態に前記本体を置いたときに互いに対向する位置に同径の連結穴を形成し、どちらか一方の連結穴から本体内側に離間した位置にタップ穴を設けた固定片を取り付けたことを特徴とするキャビネットの連結部の構造。
【発明の詳細な説明】
【技術分野】
【０００１】
本発明は、各種機器を収納し、隣り合う本体をねじ止めすることで連結可能であるキャビネットの連結部の構造に関するものである。
【背景技術】
【０００２】
図５〜図６に従来のキャビネットの連結構造を示す。通信機器や電気機器を収納するキャビネット３１は、収納したい機器の量や、設置場所の制約によっては、連結して用いることがある。このとき、連結のため、キャビネット３１の本体３２側面に、連結穴３３を設けていた。本体３２の側面を突き合わせて、片側の連結穴３３からねじ３４を挿通し、もう一方の連結穴３３にはナット３５を設け、ねじ３４を締め付け本体３２を連結固定させていた。このナット３５は、本体３２内側に溶接すると、ナット３５を支持する必要がなくなり、ねじ３４を差し込んで片側から締め付けることで連結することができる。
【０００３】
しかし、必ずしもキャビネット３１は連結して用いられるものではなく、単体として用いたりまたは、端に設置されるキャビネットは連結穴３３が不要であり、異物の侵入を防ぐために、目隠し板３６を取り付けていた。
【先行技術文献】
【特許文献】
【０００４】
【特許文献１】特開２００５−８７６２７号公報
【発明の概要】
【発明が解決しようとする課題】
【０００５】
上記従来のキャビネット３１では、前面開口が扉体により施蓋されるものであり、ナット３５を押さえながらねじを締め付ける作業が、扉体を開放した状態では、両側の本体３２の内部に手が届かず、作業人が複数必要で作業の効率が悪かった。また、近年の情報化によって、本体３２内部には密集して機器を取り付けることが多くあり、このように密集して機器が取り付いた本体３２を連結する場合、連結穴３３付近に取り付けられている機器を取り外さないとねじ３４やナット３５が取り付けられないことがあった。
【０００６】
また、本体３２にナット３５を溶接し固定している場合、ねじ３４を挿入する側の連結穴３３の径は、ねじ３４の径に対して余裕を持たせてあり、一方、ナット３５はねじ３４が確実に締められる径となっているため、連結しないで連結穴３３に目隠し板３６を取り付けるときには、連結穴３３の径に合った目隠し板３６ａ、ナット３５の径に合った目隠し板３６ｂを使用する必要があった。つまり、それぞれの径に合った目隠し板３６を作製する必要があった。
【課題を解決するための手段】
【０００７】
そこで本発明は簡単な構造で、容易に連結作業が行える連結部の構造を提供することを目的とし、その構造は、キャビネットの左右両側面に、連結状態に本体を置いたときに互いに対向する位置に同径の連結穴を形成し、どちらか一方の連結穴から本体内側に離間した位置にタップ穴を設けた固定片を取り付けたことを特徴とする。
【発明の効果】
【０００８】
本発明はキャビネットの左右両側面に、連結状態に本体を置いたときに互いに対向する位置に同径の連結穴を形成し、どちらか一方の連結穴から本体内側に離間した位置にタップ穴を設けた固定片を取り付けたため、隣り合う本体を連結するのに、片側の連結穴からねじを
挿通し締め付け固定することができるため、本体の前面開口を施蓋する扉体を取り外すことも不要となり、連結作業の効率を大幅に向上させることができる。
【０００９】
また、本体を連結せずに単体として使用する場合や、端に配置されるキャビネットの本体に設けられた連結穴には、目隠し板が取り付け可能で、異物の侵入を防止することができる。本体には同径の連結穴を設けているため、目隠し板は一種類のものを共用することができ、従来のように連結穴を塞ぐもの、ナットの付属した連結穴を塞ぐものとそれぞれ目隠し板を作製したり、部品を在庫することに手間をかけたりすることがなくなり、安価に目隠し板を提供できる。
【図面の簡単な説明】
【００１０】
【図１】キャビネットの連結した状態を示す説明図である。
【図２】図１における要部拡大図である。
【図３】キャビネットの連結した状態を示す説明図である。
【図４】連結部の要部拡大断面図である。
【図５】従来のキャビネットの連結した状態を示す説明図である。
【図６】連結部の要部拡大断面図である。
【実施例１】
【００１１】
本発明に係るキャビネットの連結部の構造を図１〜図４の添付図面に基いて説明する。
【００１２】
キャビネット１の本体２は、前面に開口３を有し、図１に示すように、本体２には、アングル４を設けて、アングル４に機器を収納した引き出し５を取り付けたり、開口３の部分に回動動作により開閉可能である扉体を蝶着し開口３を施蓋して構成される。本体２は、複数体を連結して用いるることもできる。本発明は、本体２を連結して用いるための構造に関する。
【００１３】
本体２の左右側面には、連結するための連結穴６を設ける。キャビネット１の本体２を連結する位置に置いた状態で互いに対向する位置に連結穴６を設ける。連結穴６はキャビネット１の大きさによって適宜数を増減させることもできる。
【００１４】
また、左または右どちらか一方の連結穴６付近の本体２内側には、タップを切った固定片７を取り付ける。図４では、固定片７はハット型に、タップ部７ａと本体取り付け部７ｂとを折曲形成し、タップ部７ａの略中央部にタップ穴８を設ける。タップ穴８はキャビネット１の本体２側面からは離間したところに位置する。
【００１５】
本体２を連結する場合、隣り合う本体２の側面に設けられた連結穴６に、固定片７が取り付けられていない側から固定ねじ９を挿入し、固定片７のタップ穴８に固定ねじ９をねじ締め本体２を連結固定する。
【００１６】
本体２を連結せず単体で使用する場合、または、連結されない面の連結穴６は、異物の侵入を防ぐために目隠し板１０で被覆する。目隠し板１０は、キャップ部１０ａと挿通部１０ｂとから構成され、挿通部１０ｂを連結穴６に本体２外側から挿通し、キャップ部１０ａで連結穴６を塞ぐ構造とする。樹脂製とすると、たわませることで連結穴６に係合させることができ、作業も簡単である。
【００１７】
以上のように構成された連結部の構造では、固定ねじ８を受ける固定片７が本体２に取り付けられているため、連結する際には、固定ねじ８を受けるナットを押さえたりする手間を省き、固定ねじ８をドライバーでまわすだけで作業ができる。本体の前面開口を回動動作による開閉が可能な扉体が取り付けられているキャビネットの場合でも、扉体を開いた状態でも、一人で作業ができるため、作業性のよいキャビネットを提供することができる。また、本体を連結しない場合でも目隠し板１０は、連結穴６の部分を被覆するために用い、従来のように連結穴６の径に合わせたものとナットの径に合わせたものと複数種類の目隠し板を用意することなく、連結穴に合ったもの一種類を共用するので、金型費用や在庫管理の手間も大きく省くことができる。
【符号の説明】
【００１８】
１      キャビネット
２      本体
３      開口
４      アングル
５      引き出し
６      連結穴
７      固定片
７ａ    タップ部
７ｂ    本体取り付け部
８      タップ穴
９      固定ねじ
１０    目隠し板
１０ａ  キャップ部
１０ｂ  挿通部
【図１】
2010212578.tif 000003
【図２】
2010212578.tif 000004
【図３】
2010212578.tif 000005
【図４】
2010212578.tif 000006
【図５】
2010212578.tif 000007
【図６】
2010212578.tif 000008